(57)【要約】【課題】シート状物の先端を挿通させる作業の簡便化と、容器内部への異物混入やウェットシートの乾燥の抑制とを両立させるとともに、シート状物のより確実な切断を実現させる。【解決手段】シート状物収納容器の蓋体の取出部を、可撓性を有する素材からなり、深さ方向に傾斜した開口及びスリットのうち少なくとも一方からなる分配口５１と、一端において分配口５１と連結した一のスリット５３と、スリット５３の他端に連結した複数のスリット５４とを有し、スリット５３及びスリット５４によって分割されてなる個々の領域のうち、スリット５３と隣接しない領域（閉塞弁５６）が、他の領域に対して薄く形成されているよう構成する。【選択図】図７
2020111335.tif 000002
【特許請求の範囲】
【請求項１】
多数の単位シートが帯状に連接されてなる長尺シート状物を前記単位シート毎に分配するための取出部を備えるシート状物収納容器の蓋体であって、
前記取出部は、
可撓性を有する素材からなり、
開口及びスリットのうち少なくとも一方からなる第一貫通部と、
一端において前記第一貫通部と連結した一のスリットからなる第二貫通部と、
前記第二貫通部の他端に連結した複数のスリットからなる第三貫通部とを有し、
前記第二貫通部及び第三貫通部によって分割されてなる個々の領域のうち、前記第二貫通部と隣接しない領域が、他の領域に対して薄く形成されているシート状物収納容器の蓋体。
【請求項２】
多数の単位シートが帯状に連接されてなる長尺シート状物を前記単位シート毎に分配するための取出部を備えるシート状物収納容器の蓋体であって、
前記取出部は開口及びスリットのうち少なくとも一方からなる貫通部を有し、
該貫通部は深さ方向に傾斜しているシート状物収納容器の蓋体。
【請求項３】
多数の単位シートが帯状に連接されてなる長尺シート状物を前記単位シート毎に分配するための取出部を備えるシート状物収納容器の蓋体であって、
前記取出部は、
可撓性を有する素材からなり、
開口及びスリットのうち少なくとも一方からなる第一貫通部と、
一端において前記第一貫通部と連結した一のスリットからなる第二貫通部と、
前記第二貫通部の他端に連結した複数のスリットからなる第三貫通部とを有し、
前記第二貫通部及び第三貫通部によって分割されてなる個々の領域のうち、前記第二貫通部と隣接しない領域が、他の領域に対して薄く形成されており、
前記第一貫通部は深さ方向に傾斜しているシート状物収納容器の蓋体。
【請求項４】
シート状物収納容器の蓋体を構成する部品であり、多数の単位シートが帯状に連接されてなる長尺シート状物を前記単位シート毎に分配するための取出部を備えるシート状物分配用チップであって、
前記取出部は、
可撓性を有する素材からなり、
開口及びスリットのうち少なくとも一方からなる第一貫通部と、
一端において前記第一貫通部と連結した一のスリットからなる第二貫通部と、
前記第二貫通部の他端に連結した複数のスリットからなる第三貫通部とを有し、
前記第二貫通部及び第三貫通部によって分割されてなる個々の領域のうち、前記第二貫通部と隣接しない領域が、他の領域に対して薄く形成されているシート状物分配用チップ。
【請求項５】
シート状物収納容器の蓋体を構成する部品であり、多数の単位シートが帯状に連接されてなる長尺シート状物を前記単位シート毎に分配するための取出部を備えるシート状物分配用チップであって、
前記取出部は開口及びスリットのうち少なくとも一方からなる貫通部を有し、
該貫通部は深さ方向に傾斜しているシート状物分配用チップ。
【請求項６】
シート状物収納容器の蓋体を構成する部品であり、多数の単位シートが帯状に連接されてなる長尺シート状物を前記単位シート毎に分配するための取出部を備えるシート状物分配用チップであって、
前記取出部は、
可撓性を有する素材からなり、
開口及びスリットのうち少なくとも一方からなる第一貫通部と、
一端において前記第一貫通部と連結した一のスリットからなる第二貫通部と、
前記第二貫通部の他端に連結した複数のスリットからなる第三貫通部とを有し、
前記第二貫通部及び第三貫通部によって分割されてなる個々の領域のうち、前記第二貫通部と隣接しない領域が、他の領域に対して薄く形成されており、
前記第一貫通部は深さ方向に傾斜しているシート状物分配用チップ。
【請求項７】
多数の単位シートが帯状に連接されてなる長尺シート状物を前記単位シート毎に分配するための取出部を備えるシート状物分配用チップが、前記取出部より高剛性の素材からなる本体部に取り付けられてなるシート状物収納容器の蓋体であって、
前記取出部は、
可撓性を有する素材からなり、
開口及びスリットのうち少なくとも一方からなる第一貫通部と、
一端において前記第一貫通部と連結した一のスリットからなる第二貫通部と、
前記第二貫通部の他端に連結した複数のスリットからなる第三貫通部とを有し、
前記本体部は、
前記取出部の前記第二貫通部及び第三貫通部によって分割されてなる個々の領域のうち前記第二貫通部と隣接する領域のそれぞれに重ねられるよう設けられた一対の部材からなる補強部を有するシート状物収納容器の蓋体。
【請求項８】
請求項４又は請求項６に記載のシート状物分配用チップが、前記取出部より高剛性の素材からなる本体部に取り付けられてなるシート状物収納容器の蓋体であって、
前記取出部の前記第二貫通部及び第三貫通部によって分割されてなる個々の領域のうち前記第二貫通部と隣接する領域のそれぞれに重ねられるよう設けられた一対の部材からなる補強部を有するシート状物収納容器の蓋体。
【請求項９】
請求項７又は請求項８に記載のシート状物収納容器の蓋体であって、
前記補強部の一対の部材は、
互いに近接するにしたがって前記第一貫通部に向かって湾曲した鉤爪状をなし、
前記取出部の前記第二貫通部に隣接する領域に外力が加えられていない状態では、前記補強部の一対の部材の一方が、前記第二貫通部をまたいでいるよう設けられているシート状物収納容器の蓋体。
【発明の詳細な説明】
【技術分野】
【０００１】
本発明は、ウェットティッシュ等の多数の単位シートが帯状に連接されてなる長尺シート状物が単位シート毎に取り出されるための構成を備えたシート状物収納容器の蓋体、及び、これに用いられるシート状物分配用チップに関する。
【背景技術】
【０００２】
不織布等のシート状物が多数枚分収納されてなる製品は、使い捨てできる拭き取り用シートとして、家庭内の清掃や人体の清浄用等、様々な場面で使用されている。特にシート状物の取り出し頻度が高い用途には、一枚分のシート状物を取り出すと同時に、次の一枚分の一部が引き出されるタイプの製品が好まれている。
【０００３】
このような製品の一例として、一定間隔でミシン目等の脆弱部が設けられた長尺シート状物を、小孔やスリットからなる分配口に挿通して引き出すことにより、シート状物を脆弱部毎に切断して使用するものが広く知られている。
【０００４】
この種の製品の多くは、シート状物を使い切っても、中に新たな長尺シート状物を装填することにより、包装容器を再利用できるようになっている。再装填の作業の際には、毎回、長尺シート状物の先端を分配口に挿通させる作業が必要となる。また、脆弱部における連結が弱過ぎて、収納容器内部でシートが切断されてしまった場合にも、同様の作業が必要である。このように、長尺シート状物の先端を分配口に挿通させる作業はシート状物の使用に不可欠であり、その作業工程がより簡便であることが求められている。
【０００５】
また、この種の製品に発生する不具合の代表として、シート状物を引っ張った際に、シート状物が脆弱部で切断されず、２枚分以上のシート状物が連なって引き出される現象がある。シート状物の取り出し時に、確実に一枚分ずつに切断されて取り出すことができるということも、この種の製品における大きな課題である。
【０００６】
挿通作業の簡便性に関しては、特許文献１に開示された技術が存在する。具体的には、第一実施例（図１０参照）として、シート状物の引き出しに用いられる分配口（引き出し孔８１）にスリットを介して連接した大径の開口（挿通孔８２）を設ける技術が開示されている。挿通孔８２は、シート状物の先端を容易に挿通し得る十分な大きさを有しており、この技術によれば、挿通孔８２に挿通されたシート状物を、挿通状態のままスリットを経由させて引き出し孔８１の中心に移動させることにより、シート状物の先端を引き出し孔８１に容易に挿通させることができる。
【０００７】
しかしながら、この第一実施例による蓋体８は、シート状物の先端を挿通させた後においても、シート状物を引き出そうとする度に不要な大面積の開口が表出する構成となっており、容器内部への異物混入や、ウェットシートの場合にはシート状物の乾燥が助長されるものであった。
【０００８】
また、特許文献１には、第二実施例（図１１参照）として、シート状物の引き出しに用いられる分配口（引き出し孔９１）、並びに、一本のスリット（スリット９５）を介して引き出し孔９１に連接した切り欠き（ガイド溝９６）が設けられた取出部（板体９４）を有するシート状物収納容器の蓋体９も開示されている。この板体９４は、蓋体本体（蓋本体９３）の下面に一端部が固着されており、常態では自身の弾性によって蓋本体９３の下面に密着している。使用者は、板体９４の一部をその弾性に抗して蓋本体９３から離反させて保持した状態において、シート状物をガイド溝９６からスライドさせることにより、シート状物を引き出し孔９１へ挿通させることができる。その後、さらに、板体９４を蓋本体９３から離反状態に保持したままで、蓋本体９３の、引き出し孔９１の上方に位置する部分に設けられた開口（挿通孔９２）に、シート状物の一端を挿通させることにより、シート状物の取り出し準備が整う。この構成によれば、シート状物を挿通した後は、板体９４が自然に蓋本体９３に密着し、不要な開口を閉塞することができる。
【０００９】
しかしながら、この第二実施例による蓋体９は、シート状物の先端の挿通を補助するとともに、不要な開口を閉塞する構成を備えているものの、シート状物の取り出し準備が整うまでに、板体９４をその弾性に抗して保持した状態で複数の作業を行わねばならず、シート状物の引き出しに用いられる分配口に直接シート状物をねじ込む場合と比較して、簡便であるとは言い難い構成となってしまっていた。
【００１０】
シート状物の切断の確実性に関しては、分配口を高摩擦素材に設けたり、分配口の形状を複雑にしたりすることにより、シート状物を引っ張る力に対する抵抗力を大きくすることができ、切断の確実性が向上することが知られている。しかしながら、このような対策を取っていても、特許文献１に開示された上記二例のようにシート状物を分配口に挿通させるためのスリットが設けられている場合には、シート状物の取り出し時にシート状物の厚みによってスリットが押し広げられ、シート状物が分配口から離れる方向へ広がってしまい、シート状物に抵抗力が加えられにくくなる傾向にある。このため、シート状物の切断の確実性を向上させるための新たな技術が求められている。
【先行技術文献】
【特許文献】
【００１１】
【特許文献１】特開平７−２０６０５５号公報
【発明の概要】
【発明が解決しようとする課題】
【００１２】
本発明は、従来の上述のような問題点に鑑み、多数の単位シートが帯状に連接されてなる長尺シート状物を単位シート毎に取り出すための構成を備えたシート状物収納容器において、シート状物の先端を挿通させる作業の簡便化と、容器内部への異物混入やウェットシートの乾燥の抑制とを両立させるとともに、シート状物のより確実な切断を実現させることを目的としている。
【課題を解決するための手段及び発明の効果】
【００１３】
本発明の第１の側面に係るシート状物収納容器の蓋体によれば、多数の単位シートが帯状に連接されてなる長尺シート状物を前記単位シート毎に分配するための取出部を備えるシート状物収納容器の蓋体において、前記取出部は、可撓性を有する素材からなり、開口及びスリットのうち少なくとも一方からなる第一貫通部と、一端において前記第一貫通部と連結した一のスリットからなる第二貫通部と、前記第二貫通部の他端に連結した複数のスリットからなる第三貫通部とを有し、前記第二貫通部及び第三貫通部によって分割されてなる個々の領域のうち、前記第二貫通部と隣接しない領域が、他の領域に対して薄く形成されているよう構成することができる。
【００１４】
前記構成によれば、第二貫通部の他端周辺を押圧することにより、シート状物を挿通させるための開口が形成され、押圧をやめると取出部を形成する素材の弾性により開口が閉塞される。よって、開口が形成されている時間を必要最小限に抑えることができ、容器内部への異物混入やウェットシートの乾燥を抑制することができる。
【００１５】
また、上記特性のため、シート状物を挿通させる作業の前後で、閉塞のための層を取り除いたり元に戻したりする手間が必要なく、シート状物挿通時の作業工程が簡便である。さらに、シート状物の挿通に寄与する薄い部分は容易に大きく変形させることができるため、シート状物を挿通させるための開口をより容易に形成することができ、より容易に取出部へのシート状物の挿通を行うことができる。
【００１６】
一方、シート状物の分配に寄与する部分は比較的厚く形成されているため変形し難く、挿通されているシート状物を掴持する力が容易に損なわれることはない。このため、シート状物の取り出し時にシート状物に十分な抵抗力が加えられ、シート状物を確実に単位シート毎に取り出すことができる。
【００１７】
すなわち、前記構成によれば、シート状物の先端を挿通させる作業の簡便化と、容器内部への異物混入やウェットシートの乾燥の抑制とを両立させるとともに、シート状物のより確実な切断を実現させることができる。
【００１８】
また、本発明の第２の側面に係るシート状物収納容器の蓋体によれば、多数の単位シートが帯状に連接されてなる長尺シート状物を前記単位シート毎に分配するための取出部を備えるシート状物収納容器の蓋体において、前記取出部は開口及びスリットのうち少なくとも一方からなる貫通部を有し、該貫通部は深さ方向に傾斜しているよう構成することができる。
【００１９】
前記構成によれば、貫通部が取り出し方向に対して傾斜しているため、貫通部を通過するシート状物が屈曲し、シート状物の取り出し時にシート状物に加えられる抵抗力が増大する。これにより、シート状物をより確実に単位シート毎に取り出すことができる。
【００２０】
さらにまた、本発明の第３の側面に係るシート状物収納容器の蓋体によれば、多数の単位シートが帯状に連接されてなる長尺シート状物を前記単位シート毎に分配するための取出部を備えるシート状物収納容器の蓋体において、前記取出部は、可撓性を有する素材からなり、開口及びスリットのうち少なくとも一方からなる第一貫通部と、一端において前記第一貫通部と連結した一のスリットからなる第二貫通部と、前記第二貫通部の他端に連結した複数のスリットからなる第三貫通部とを有し、前記第二貫通部及び第三貫通部によって分割されてなる個々の領域のうち、前記第二貫通部と隣接しない領域が、他の領域に対して薄く形成されており、前記第一貫通部は深さ方向に傾斜しているよう構成することができる。
【００２１】
さらにまた、本発明の第４の側面に係るシート状物分配用チップによれば、シート状物収納容器の蓋体を構成する部品であり、多数の単位シートが帯状に連接されてなる長尺シート状物を前記単位シート毎に分配するための取出部を備えるシート状物分配用チップにおいて、前記取出部は、可撓性を有する素材からなり、開口及びスリットのうち少なくとも一方からなる第一貫通部と、一端において前記第一貫通部と連結した一のスリットからなる第二貫通部と、前記第二貫通部の他端に連結した複数のスリットからなる第三貫通部とを有し、前記第二貫通部及び第三貫通部によって分割されてなる個々の領域のうち、前記第二貫通部と隣接しない領域が、他の領域に対して薄く形成されているよう構成することができる。
【００２２】
さらにまた、本発明の第５の側面に係るシート状物分配用チップによれば、シート状物収納容器の蓋体を構成する部品であり、多数の単位シートが帯状に連接されてなる長尺シート状物を前記単位シート毎に分配するための取出部を備えるシート状物分配用チップにおいて、前記取出部は開口及びスリットのうち少なくとも一方からなる貫通部を有し、該貫通部は深さ方向に傾斜しているよう構成することができる。
【００２３】
さらにまた、本発明の第６の側面に係るシート状物分配用チップによれば、シート状物収納容器の蓋体を構成する部品であり、多数の単位シートが帯状に連接されてなる長尺シート状物を前記単位シート毎に分配するための取出部を備えるシート状物分配用チップにおいて、前記取出部は、可撓性を有する素材からなり、開口及びスリットのうち少なくとも一方からなる第一貫通部と、一端において前記第一貫通部と連結した一のスリットからなる第二貫通部と、前記第二貫通部の他端に連結した複数のスリットからなる第三貫通部とを有し、前記第二貫通部及び第三貫通部によって分割されてなる個々の領域のうち、前記第二貫通部と隣接しない領域が、他の領域に対して薄く形成されており、前記第一貫通部は深さ方向に傾斜しているよう構成することができる。
【００２４】
さらにまた、本発明の第７の側面に係るシート状物収納容器の蓋体によれば、多数の単位シートが帯状に連接されてなる長尺シート状物を前記単位シート毎に分配するための取出部を備えるシート状物分配用チップが、前記取出部より高剛性の素材からなる本体部に取り付けられてなるシート状物収納容器の蓋体において、前記取出部は、可撓性を有する素材からなり、開口及びスリットのうち少なくとも一方からなる第一貫通部と、一端において前記第一貫通部と連結した一のスリットからなる第二貫通部と、前記第二貫通部の他端に連結した複数のスリットからなる第三貫通部とを有し、前記本体部は、前記取出部の前記第二貫通部及び第三貫通部によって分割されてなる個々の領域のうち前記第二貫通部と隣接する領域のそれぞれに重ねられるよう設けられた一対の部材からなる補強部を有するよう構成することができる。
【００２５】
前記構成によれば、第二貫通部の他端周辺を押圧することにより、シート状物を挿通させるための開口が形成され、押圧をやめると取出部を形成する素材の弾性により開口が閉塞される。よって、開口が形成されている時間を必要最小限に抑えることができ、容器内部への異物混入やウェットシートの乾燥を抑制することができる。
【００２６】
また、補強部が一連の部材ではないので、シート状物を挿通させる作業の前後で、取出部を補強部と引き離したり元に戻したりする手間が必要なく、シート状物挿通時の作業工程が簡便である。
【００２７】
さらに、補強部の存在により、シート状物の取り出し時における第二貫通部の開きが抑制されるので、挿通されているシート状物を掴持する力が増大する。これにより、シート状物をより確実に単位シート毎に取り出すことができる。
【００２８】
すなわち、前記構成によれば、シート状物の先端を挿通させる作業の簡便化と、容器内部への異物混入やウェットシートの乾燥の抑制とを両立させるとともに、シート状物のより確実な切断を実現させることができる。
【００２９】
さらにまた、本発明の第８の側面に係るシート状物収納容器の蓋体によれば、上記第４の側面又は第６の側面に係るシート状物分配用チップが、前記取出部より高剛性の素材からなる本体部に取り付けられてなるシート状物収納容器の蓋体であって、前記取出部の前記第二貫通部及び第三貫通部によって分割されてなる個々の領域のうち前記第二貫通部と隣接する領域のそれぞれに重ねられるよう設けられた一対の部材からなる補強部を有するよう構成することができる。
【００３０】
さらにまた、本発明の第９の側面に係るシート状物収納容器の蓋体によれば、前記補強部の一対の部材は、互いに近接するにしたがって前記第一貫通部に向かって湾曲した鉤爪状をなし、前記取出部の前記第二貫通部に隣接する領域に外力が加えられていない状態では、前記補強部の一対の部材の一方が、前記第二貫通部をまたいでいるよう構成することができる。
【００３１】
前記構成によれば、第一貫通部から第二貫通部にはみ出したシート状物の、第三貫通部側へ向かう移動が遮られる。これにより、シート状物の取り出し時にシート状物に加えられる抵抗力の減少を抑制できるため、シート状物をより確実に単位シート毎に取り出すことができる。
【図面の簡単な説明】
【００３２】
【図１】本発明の第一実施例に係るシート状物収納容器の蓋体の斜視図である。
【図２】本発明の第一実施例に係るシート状物分配用チップの正面、平面、右側面を表した斜視図である。
【図３】本発明の第一実施例に係るシート状物分配用チップの背面、底面、左側面を表した斜視図である。
【図４】図２及び図３に示すシート状物分配用チップをスリット４３に沿って鉛直に切断した場合に現れる断面を表す図である。
【図５】本発明の第一実施例に係るシート状物収納容器の蓋体の取出部にシート状物の先端を挿通させる工程の説明図である。
【図６】本発明の第二実施例に係るシート状物分配用チップの正面、平面、右側面を表した斜視図である。
【図７】本発明の第二実施例に係るシート状物分配用チップの背面、底面、左側面を表した斜視図である。
【図８】図６及び図７に示すシート状物分配用チップをスリット５３に沿って鉛直に切断した場合に現れる断面を表す図である。
【図９】本発明の第三実施例に係るシート状物収納容器の蓋体の斜視図である。
【図１０】特許文献１に開示された発明の第一実施例に係るシート状物収納容器の蓋体の斜視図である。
【図１１】特許文献１に開示された発明の第二実施例に係るシート状物収納容器の蓋体の平面図である。
【発明を実施するための形態】
【００３３】
以下、本発明の実施の形態を図面に基づいて説明する。ただし、以下に示す実施の形態は、本発明の技術思想を具体化するための例示であって、本発明はそれらを以下のものに特定しない。また、本明細書は特許請求の範囲に示される部材を、実施の形態の部材に特定するものでは決してない。特に実施の形態に記載されている構成部品の寸法、材質、形状、その相対的配置等は特に特定的な記載がない限りは、本発明の範囲をそれのみに限定する趣旨ではなく、単なる説明例にすぎない。尚、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
（第一実施例）
【００３４】
本発明は、例えば、長さ方向の一定間隔おきに設けられたミシン目によって多数の単位シートに分割された長尺シート状物がロール状に巻回されてなるシート状物巻回体を内部に収納し、これを単位シート毎に取り出して使用するためのシート状物収納容器に使用することができる。このようなシート状物収納容器の本体は、一般的に一端を開口とする中空円筒状をなす。ここでは、第一実施例として、このような形状を有する容器本体に対応したシート状物収納容器の蓋体１について、図１に示す斜視図をもとに説明する。
（蓋体１）
【００３５】
蓋体１は、容器本体に設けられた開口を閉塞するための密閉機能と、引き出されたシート状物の先端を摘まみ易い位置に保持するための先端保持機能と、シート状物が引き出される際に、長尺シート状物の、シート状物収納容器の外部に引き出された部分に対して、ミシン目において切断されるための抵抗力を与えるための分配機能とを有する部材である。
【００３６】
図１に示すように、蓋体１は、蓋体本体２、小蓋３及びチップ４（特許請求の範囲における「シート状物分配用チップ」の一例に相当する。）から構成されている。
（蓋体本体２）
【００３７】
蓋体本体２は、前記密閉機能に関連した部材である。
【００３８】
蓋体本体２は、容器本体と略同径のごく短い略円筒状の部材であり、中空構造となっている。また、その上端（図１における紙面手前側）は略閉塞される一方、その下端（図１における紙面奥側）は開口となっている。当該開口の周縁部は、容器本体の開口の周縁部に設けられた係着用構造に対応する構造となっており、例えば、容器本体の開口の周縁部に雄ねじが形成されている場合には蓋体本体２下端の開口の周縁部には雌ねじが形成されている。
【００３９】
また、蓋体本体２の上端面には、チップ４が取り付けられる開口２１が設けられており、引き出されたシート状物の先端を内部に収納するための枠２２が開口２１を取り囲むように設けられている。
【００４０】
蓋体本体２の素材としては、軽量で剛性及び気密性を有するプラスチック等が望ましい。
（小蓋３）
【００４１】
小蓋３は、前記密閉機能に関連した部材である。
【００４２】
図１に示すように、小蓋３は、蓋体本体２に対して蝶着された略円盤状の部材であって、開口２１の開閉を担っている。小蓋３の内側には枠２２に対応した枠受け３１が設けられており、枠２２と枠受け３１が係着されることで、小蓋３が開口２１を閉塞した状態で蓋体本体２に固定されるとともに、枠２２内部の空間が外部と遮断されるようになっている。
【００４３】
小蓋３には、プラスチック等、蓋体本体２と同一の素材を用いればよいが、別素材を採用することも可能である。
（チップ４）
【００４４】
チップ４は、シリコンなどの可撓性を有し高摩擦な素材からなる小片であり、抜き加工やプレス成型等により製造することができる。
【００４５】
チップ４の構成を、図２及び図３に示す斜視図、並びに、図４に示す断面図をもとに説明する。
【００４６】
チップ４は、分配口４１（特許請求の範囲における「第一貫通部」の一例に相当する。）、分配弁４２、スリット４３（特許請求の範囲における「第二貫通部」の一例に相当する。）、スリット４４（特許請求の範囲における「第三貫通部」の一例に相当する。）、閉塞弁４５（特許請求の範囲における「第二貫通部と隣接する領域」に対応する。）及び閉塞弁４６（特許請求の範囲における「第二貫通部と隣接しない領域」に対応する。）からなる取出部と、係合溝４７からなる取付部とを備えている。
（取出部）
【００４７】
取出部は、チップ４が蓋体本体２に取り付けられた状態において、平面視で開口２１内部に位置する。取出部が配された部分では、シート状物の挿通を行う際の状態（小蓋３が開かれた状態）において、シート状物収納容器の内部空間と外部空間が、取出部による一層のみで隔てられるようになっている。なお、本発明における「一層（単層）」とは、分離可能に設けられた他の層を有さないという意味であり、これを満たすものであれば、部分的な凹凸や厚薄があっても一層であるとする。
【００４８】
また、取出部は、チップ４ではなく蓋体本体２に直接設けられてもよい。この場合、蓋体本体２自体を可撓性を有する素材とし、開口２１を設ける代わりに取出部を蓋体本体２に一体形成すればよい。
（分配機能に関連する構成）
【００４９】
分配口４１及び分配弁４２は、前記先端保持機能及び分配機能に関連した構成である。
【００５０】
図２〜４に示すように、チップ４には狭小な開口からなる分配口４１が設けられており、分配口４１を取り囲む部分がドーム型に隆起した分配弁４２を形成している。分配口４１に挿通されたシート状物は、分配弁４２の内縁によって掴持される。
【００５１】
なお、本実施例においては第一貫通部として分配口４１を採用しているが、第一貫通部のその他の態様として、放射状に形成されたスリットからなる態様や、開口とスリットが併設されてなる態様などを採用することも可能である。
（挿通作業の簡便化に寄与する構成）
【００５２】
スリット４３、スリット４４、閉塞弁４５及び閉塞弁４６は、シート状物の先端を分配口４１に挿通させる作業の簡便化に寄与する構成である。
【００５３】
図２に示すように、チップ４には、一端において分配口４１と連結したスリット４３と、スリット４３の他端に連結した２本のスリット４４とが形成されている。スリット４３は平面視において一直線状をなしているのに対し、スリット４４は２本とも緩やかなＳ字カーブを描き、互いに対称な形状をなしている。なお、第三貫通部をなすスリットの形状及び本数は、スリット４４の態様に限られるものではなく、必要に応じて適宜変更することが望ましい。
【００５４】
また、スリット４３及びスリット４４は幅を有さないスリットであるため、閉塞弁４５及び閉塞弁４６は、外力が加わっていない状態において、それぞれの端縁部が隣り合う閉塞弁の端縁部と隙間なく接触しているという特徴を有している。
【００５５】
また、スリット４３及びスリット４４は深さ方向に太さが変化するように形成されており、閉塞弁４５及び閉塞弁４６の端縁部同士がスリットの深さ方向上端（図４における配置を基礎とする。本実施例の説明において以下同様とする。）においてのみ接触し、その接触部から深さ方向下端に向かうにつれて端縁部同士の間隔が広がっていくような形状となっている。なお、第二貫通部及び第三貫通部をなすスリットは、深さ方向に太さが変化しない態様とすることも可能である。
【００５６】
チップ４がスリット４３及びスリット４４により分割されてなる個々の領域は、チップ４のなす面に垂直な方向に弾性変形可能な閉塞弁４５及び閉塞弁４６となっている。ここで、スリット４３と隣接しない閉塞弁４６は、スリット４３と隣接する閉塞弁４５と比較して薄く形成されているという特徴を有する。これにより、閉塞弁４６を容易に大きく変形させることができるため、シート状物を挿通させるための開口をより容易に形成することができ、シート状物の挿通の簡便化が実現される。一方、閉塞弁４５は閉塞弁４６と比較して変形され難いため、シート状物の取り出し時にスリット４３が開いてしまう現象が抑制され、シート状物に十分な抵抗力が加えられるため、シート状物のより確実な切断が実現される。
（取付部）
【００５７】
取付部は、蓋体本体２の開口２１にチップ４を取り付けるための構成であり、チップ４の周縁部に形成された係合溝４７からなる。係合溝４７の内壁は、蓋体本体２の開口２１の外周縁をなす部分の外表面と対応する形状となっている。また、係合溝４７の上下でチップ４の外周縁の位置が異なるよう形成されており、上側より下側の方がより外側に張り出した形状となっている。これにより、シート状物の取り出し時にチップ４にかかる下から上への力に対しては、係合溝４７の下側の張り出しが支えとなり、チップ４の固定状体が保たれる一方で、上から下へ力を加えれば、チップ４を蓋体本体２から取り外すことができる。
【００５８】
なお、シート状物分配用チップの取付部は、蓋体本体の開口周縁部と係着させることができる構成であればよい。また、蓋体本体の開口周縁部に取付部と係合する構造を設けてもよい。
（蓋体１の使用方法及び使用に伴う動作）
【００５９】
蓋体１は、長尺シート状物を分配するために用いられる物であり、すでに分配口４１にシート状物が挿通されている場合には、シート状物の先端を引っ張るだけで、シート状物が単位シート毎に切断されて取り出されるとともに、次に取り出される単位シートの一部が分配口４１の外側に引き出される。
【００６０】
一方、長尺シート状物の詰め替え時や、単位シート同士の連結部が分配口４１に到達する前に切断されてしまった場合には、分配口４１にシート状物を挿通させる作業が必要となる。この作業手順と、これに伴う蓋体１各部の動作について、図５のフローチャートに基づいて以下に詳しく説明する。
【００６１】
使用者は、まず、ステップＳＴ１０１において、蓋体１の内側から閉塞弁４６にシート状物の先端を当て、外側へ向けて押圧する。これにより、閉塞弁４６が蓋体１の外側に撓み、スリット４４が広がるとともに、シート状物の先端が蓋体１の外側に押し出される。
【００６２】
続いて、使用者は、ステップＳＴ１０２において、蓋体１の外側からシート状物の先端を摘まんで適当な長さに引き出す。この作業の完了に伴い、閉塞弁４６を押圧する必要がなくなるため、自然と指が閉塞弁４６から離れる。これにより、閉塞弁４６が自身の弾性により元の状態に戻ろうとし、シート状物の一部が閉塞弁４５と閉塞弁４６の間に掴持された状態となる。
【００６３】
続いて、使用者は、ステップＳＴ１０３において、シート状物の先端を摘まんで分配口４１へ向けて引っ張る。これにより、シート状物は、閉塞弁４５を撓ませながらスリット４３を経由して分配口４１へ到達し、分配弁４２によって掴持された状態となる。これで挿通作業は完了である。ここで、閉塞弁４５は、シート状物が分配口４１に向かって移動するに従って外力から開放され、その弾性により元の平らな状態に戻るため、スリット４３及びスリット４４の周辺は、元通りに隙間なく閉塞される。
【００６４】
以上の通り、分配口４１にシート状物を挿通させる工程において使用者が意識して行うことは、シート状物の先端を閉塞弁４６に押し当て、スリット４４に挿通させる作業と、シート状物を分配口４１に向けて引っ張る作業のみであり、ごく簡便である。作業の過程で広がったスリット４３及びスリット４４は、これら作業の完了に伴って自然に閉塞されるため、作業者が意識せずとも乾燥や異物混入を抑制できる構成となっているのである。
（第二実施例）
【００６５】
本発明の第二実施例として、第一実施例のチップ４の代わりに図６〜８に示すチップ５を用いたシート状物収納容器の蓋体について以下に説明する。なお、蓋体本体２、小蓋３については第一実施例と同様であるため、説明を省略する。
（チップ５）
【００６６】
チップ５は、チップ４と同様に、シリコンなどの可撓性を有し高摩擦な素材からなる小片であり、抜き加工やプレス成型等により製造することができる。
【００６７】
チップ５の構成を、図６及び図７に示す斜視図、並びに、図８に示す断面図をもとに説明する。
【００６８】
チップ５は、分配口５１（請求項２及び請求項５における「貫通部」の一例に相当する。）、分配弁５２、スリット５３、スリット５４、閉塞弁５５及び閉塞弁５６からなる取出部と、係合溝５７からなる取付部とを備えている。ここで、スリット５３、スリット５４、閉塞弁５５及び閉塞弁５６については、それぞれスリット４３、スリット４４、閉塞弁４５及び閉塞弁４６と同様の構成である。
（分配機能に関連する構成）
【００６９】
チップ４と同様に、チップ５にも狭小な開口からなる分配口５１が設けられており、分配口５１を取り囲む部分がドーム型に隆起した分配弁５２を形成している。ここで、分配口５１は、図８に示す断面図に明示されている通り、深さ方向に傾斜していることを特徴としている。これに伴い、分配弁５２についても、その内縁の一部が鋭角となっているという特徴を有している。
【００７０】
上記特徴により、分配口５１に挿通されたシート状物は取り出し方向に対して蛇行した状態で分配弁５２に掴持され、さらに分配弁５２内縁の鋭角部分が棘のような役割を果たすため、分配口が傾斜していない場合と比較して、シート状物の取り出し時にシート状物に加えられる抵抗力が増大する。これにより、シート状物のより確実な切断が実現される。
【００７１】
なお、本実施例においては貫通部として分配口５１を採用しているが、貫通部のその他の態様として、深さ方向に傾斜したスリットを放射状に形成した態様や、深さ方向に傾斜した開口とスリットが併設されてなる態様などを採用することも可能である。また、貫通部を深さ方向に傾斜させる技術は、スリット５３、スリット５４、閉塞弁５５及び閉塞弁５６の有無又は態様に関係なくシート状物収納容器の取出部に適用し得る技術である。さらに、チップ５の取出部が蓋体本体に直接設けられてもよいことは、第一実施例と同様である。
（第三実施例）
【００７２】
本発明の第三実施例として、図９に示すシート状物収納容器の蓋体６について以下に説明する。
【００７３】
図９に示すように、蓋体６は、蓋体本体７（特許請求の範囲における「本体部」の一例に対応する。）並びに第一実施例と同様の小蓋３及びチップ４から構成されている。
（蓋体本体７）
【００７４】
蓋体本体７の素材には、チップ４の素材より高剛性なものが用いられる。例えば、蓋体本体２と同様に、軽量で剛性及び気密性を有するプラスチック等が好適である。
【００７５】
蓋体本体７の形状は、蓋体本体２と同様に、容器本体と略同径のごく短い略円筒状であり、中空構造となっている。また、その上端（図９における紙面手前側）は略閉塞される一方、その下端（図９における紙面奥側）は開口となっている。当該開口の周縁部は、容器本体の開口の周縁部に設けられた係着用構造に対応する構造となっている。蓋体本体７の上端面には、チップ４が取り付けられる開口７１が設けられており、引き出されたシート状物の先端を内部に収納するための枠７２が開口７１を取り囲むように設けられている。
【００７６】
また、蓋体本体２と異なる構成として、チップ４の２つの閉塞弁４５のそれぞれに重ねられるように、補強弁７３ａ，７３ｂ（特許請求の範囲における「補強部」の一例に相当する。）が設けられている。
（補強弁７３ａ，７３ｂ）
【００７７】
補強弁７３ａ，７３ｂは、開口７１の周縁部から内側へ向かって延設された平板状の部材であり、図９に示すように、互いに近接するにしたがって分配口４１に向かって湾曲した鉤爪状をなしている。
【００７８】
また、補強弁７３ａがスリット４３をまたぐ大きさであるのに対し、補強弁７３ｂは補強弁７３ａの先端と接触しない程度に小さいことを特徴とする。さらに、補強弁７３ａの大きさは、図５に示すシート状物挿通の作業手順におけるステップＳＴ１０３において、シート状物の通過に伴い閉塞弁４５が撓むことによりスリット４３の幅が大きく広がった場合に、その全幅にはまたがらない程度であることを特徴とする。
【００７９】
この補強弁７３ａ，７３ｂの存在により、シート状物の取り出し時における閉塞弁４５の撓みが抑制され、分配口４１に挿通されているシート状物を掴持する力が増大する。また、特に補強弁７３ａの存在により、シート状物の取り出し時にシート状物の厚みによってスリット４３が押し広げられ、シート状物が分配口４１から離れる方向へ広がってしまい、シート状物に抵抗力が加えられにくくなる現象を抑制することができる。補強弁７３ａ，７３ｂの及ぼすこれらの作用によって、シート状物のより確実な切断が実現される。
【００８０】
その一方で、シート状物をスリット４４から分配口４１に移動させる際には、補強弁７３ａと補強弁７３ｂとの間に間隙があるとともに、スリット４３が補強弁７３ａによって完全に遮断されることはないので、シート状物の挿通作業が複雑化することはない。
【００８１】
なお、本実施例のように、補強部として、取出部の第二貫通部及び第三貫通部によって分割されてなる個々の領域のうち第二貫通部と隣接する領域のそれぞれに重ねられる一対の部材を設ける技術は、第二貫通部及び第三貫通部に相当するスリットを有する取出部が設けられたシート状物分配用チップが本体部とは別体の部品として取り付けられているシート状物収納容器の蓋体全般に適用することが可能である。
【産業上の利用可能性】
【００８２】
本発明に係るシート状物収納容器の蓋体及びシート状物分配用チップは、特に、詰め替え頻度の高い業務用やコンパクトタイプのウェットティッシュボトルに好適に使用できる。
【符号の説明】
【００８３】
１，６…蓋体
２，７…蓋体本体
２１，７１…開口
２２，７２…枠
７３ａ，７３ｂ…補強弁
３…小蓋
３１…枠受け
４，５…チップ
４１，５１…分配口
４２，５２…分配弁
４３，４４，５３，５４…スリット
４５，４６，５５，５６…閉塞弁
４７，５７…係合溝
８，９…従来のシート状物収納容器の蓋体
【図１】
2020111335.tif 000003
【図２】
2020111335.tif 000004
【図３】
2020111335.tif 000005
【図４】
2020111335.tif 000006
【図５】
2020111335.tif 000007
【図６】
2020111335.tif 000008
【図７】
2020111335.tif 000009
【図８】
2020111335.tif 000010
【図９】
2020111335.tif 000011
【図１０】
2020111335.tif 000012
【図１１】
2020111335.tif 000013